(57)【要約】【課題】  ファインダとタッチパネルを備えたカメラにおいて、撮影者がファインダを覗きながら撮影を行なう場合、撮影時の操作をタッチパネルで正確に行なえない場合がある。【解決手段】  ファインダとタッチパネルを備えたカメラにおいて、撮影者のファインダへの接眼が検知された場合、タッチパネルの入力モードを、撮影者がファインダを覗きながらでも簡単に操作できるようなモードに設定する。これにより、撮影者がファインダを覗きながら撮影を行なう際の、撮影時の操作をタッチパネルで正確に行なえる。【選択図】  図２
2008268726.tif 000002
【特許請求の範囲】
【請求項１】
少なくとも画像または文字を表示する画面表示部と、
前記画面表示部の前面に設けられ、撮影者により操作されるタッチパネルと、
ファインダと、
撮影者が前記ファインダに接眼しているか否かを検知するファインダ接眼検知手段と、
前記ファインダ接眼検知手段の検知結果に応じて前記タッチパネルの入力モードを切換える入力モード切換え手段と、
を有することを特徴とする撮影装置。
【請求項２】
前記ファインダ接眼検知手段により撮影者が前記ファインダに接眼していると検知されて、前記入力モード切換え手段により前記タッチパネルの入力モードが切換えられた場合、前記タッチパネルの入力有効範囲を拡大することを特徴とする請求項１の撮影装置。
【請求項３】
前記ファインダ接眼検知手段により撮影者が前記ファインダに接眼していると検知されて、前記入力モード切換え手段により前記タッチパネルの入力モードが切換えられた場合、前記タッチパネルで制御できる制御項目の数を限定することを特徴とする請求項１または請求項２の撮影装置。
【請求項４】
前記タッチパネルの押圧状態を検知する押圧状態検知手段と、
前記押圧状態検知手段により検知された押圧状態に基づいて制御を行なう制御手段とを有し、
前記ファインダ接眼検知手段により撮影者が前記ファインダに接眼していると検知されて、前記入力モード切換え手段により前記タッチパネルの入力モードが切換えられた場合、撮影者による押圧操作が所定の動作であるか否かが、前記押圧状態検知手段により検知された前記タッチパネルの押圧状態に基づいて判別され、撮影者による押圧操作が所定の動作であると判別されると、前記制御手段により前記所定の動作に応じた制御がされることを特徴とする請求項１乃至請求項３の撮影装置。
【請求項５】
前記所定の動作に応じて制御される制御項目が、前記ファインダに表示されることを特徴とする請求項４の撮影装置。
【請求項６】
前記ファインダ接眼検知手段により撮影者が前記ファインダに接眼していると検知された場合は、前記画面表示部を消灯することを特徴とする請求項１乃至請求項５の撮影装置。
【請求項７】
前記所定の動作に応じて制御される制御項目が、シャッタースピード値及び絞り値及び測距点のうち少なくとも一つを含むことを特徴とする請求項４乃至請求項６の撮影装置。
【発明の詳細な説明】
【技術分野】
【０００１】
本発明は、タッチパネル及びファインダを備えた撮影装置に関する。
【背景技術】
【０００２】
従来、カメラの設定や撮影の指示等の操作は、カメラに設けられたボタンやダイヤル等の操作部材を操作することで行なっていた。
しかしカメラの小型化及び画面表示部の大型化を図るため、操作部材の代わりに画面表示部の前面にタッチパネルを設け、操作ボタン等の表示に従ってタッチパネルを指で触ることでカメラの操作を行なう技術が提案されている。（特許文献１参照）
またタッチパネルの操作性を向上させるため、カメラを把持したときのタッチパネルの押圧位置を判別して、その押圧位置を基準として、その周囲に操作ボタンを配置する技術が提案されている。（特許文献２参照）
【特許文献１】特開平６−７０２０６
【特許文献２】特開平１１−１６４１７５
【発明の開示】
【発明が解決しようとする課題】
【０００３】
ファインダ、画面表示部、及び画面表示部の前面に設けられたタッチパネルを有する撮影装置において、撮影者がファインダを覗きながら撮影を行なう場合、撮影者は通常、画面表示部を目視できない。
【０００４】
したがって上記従来技術をそのようなカメラに適用した場合、ファインダを覗きながら撮影すると、撮影時の操作（絞り値、シャッタースピード値の変更等）をタッチパネルで正確に行なえない場合がある。
【０００５】
本発明は上記のような問題を鑑みて為されたもので、その目的とするところは、ファインダを覗きながら撮影する際の操作を、タッチパネルで正確に行なえる撮影装置を提供することである。
【課題を解決するための手段】
【０００６】
本発明の撮影装置は、少なくとも画像または文字を表示する画面表示部と、前記画面表示部の前面に設けられ、撮影者により操作されるタッチパネルと、ファインダと、撮影者が前記ファインダに接眼しているか否かを検知するファインダ接眼検知手段と、前記ファインダ接眼検知手段の検知結果に応じて前記タッチパネルの入力モードを切換える入力モード切換え手段とを有することを特徴としている。
【発明の効果】
【０００７】
本発明により、ファインダ、画面表示部、及び画面表示部の前面に設けられたタッチパネルを備えたカメラにおいて、ファインダを覗きながら撮影する際の操作をタッチパネルで正確に行なうことが可能となる。
【発明を実施するための最良の形態】
【０００８】
以下、図面を参照して、本発明の実施例を説明する。
【実施例】
【０００９】
図１は、本発明の撮影装置の構成例を示す図である。
【００１０】
なお、本発明の説明に不要な部分は省略してある。
１０は、例えばＣＰＵなどのシステム制御部であり、画像処理部１００全体を制御する。
１１は測光手段、１２は測距手段、１３はシャッター制御手段である。
１４は撮影者が覗くファインダであり、操作項目等の表示が可能である。
１５は画像や文字、数字等が表示可能な画面表示部であり、撮影された画像や、操作項目等の表示がされる。
１６は表示制御部であり、画像を画面表示部１５に表示させるとともに、システム制御部１０でのプログラムの実行に応じて、文字、画像等を用いて動作状態やメッセージ等をファインダ１４及び画面表示部１５に表示させる。
表示制御部１６の表示内容のうち、ファインダ１４内に表示するものとしては、例えば、合焦表示、シャッタースピード値表示、絞り値表示、露出補正表示、ＩＳＯ表示、撮影可能枚数表示等がある。
【００１１】
また、表示制御部１６の表示内容のうち、画面表示部１５に表示するものとしては、例えば、撮影画像表示、設定値変更メニュー表示、設定値確認表示、エラー表示、日付・時刻表示等がある。
１７はタッチパネルであり、撮影者が押圧して操作する。
なお押圧して操作する際、撮影者は指や爪でタッチパネルに接触してもよいし、タッチペン等の操作部材をタッチパネルに接触させてもよい。
【００１２】
またタッチパネル１７は画面表示部１５の前面に設けられており、撮影者は画面表示部１５を見ながらタッチパネル１７を押圧することが可能である。
したがって撮影者がタッチパネルを操作する際に、タッチパネルで撮影者が押圧すべき位置や、制御の内容等を画面表示部１５で表示すれば、撮影者はその表示に従って押圧することで所望の制御を指示することが可能となる。
１８は押圧状態検知のための操作制御部であり、撮影者がタッチパネル１７に押圧操作すると、タッチパネル上で押圧された位置、つまりはタッチパネル上での座標情報がタッチパネルから入力される。そして入力された座標情報から押圧状態を検知する。
ここで押圧状態とは、タッチパネル上で押圧された位置、押圧したまま移動させた方向や距離等の押圧された軌跡を含む。なお押圧された軌跡は、操作制御部１８に入力した座標情報に基づき、タッチパネル上で押圧された位置の変化を参照することで検知できる。
【００１３】
そして検知した押圧状態をシステム制御部１０に通知する。
システム制御部１０は通知された押圧状態に基づき制御することで、撮影者が指示した制御をすることが可能となる。
またタッチパネルの入力有効範囲はシステム制御部１０で決定される。システム制御部１０は通知された押圧状態に基づき、押圧された位置が入力有効範囲内であると、その押圧状態に応じた制御を行なう。
【００１４】
接眼検知部１９は、撮影者がファインダを覗く動作及びファインダから遠ざかる動作、つまりは撮影者がファインダに接眼しているか否かを検知する。その方法として、例えばファインダの側に赤外線センサを設け、赤外感知の変化から、撮影者の顔がファインダの近傍にあるかを検知する方法がある。
【００１５】
したがって接眼検知部１９の検知結果に応じて、例えば画面表示部１５の表示内容変更、点灯・消灯制御等を行なうことができる。
【００１６】
特に撮影者がファインダを覗くとき、撮影者が画面表示部１５を見ることは難しく、また撮影者が眩しく感じることがあるため、接眼検知部１９で撮影者のファインダを覗く動作（接眼）を検知したときに、画面表示部１５を消灯させることは有効である。
【００１７】
２０はＥＥＰＲＯＭ等の不揮発性メモリである。電気的に消去・記録可能であり、例えばシャッタースピード、絞り値等の設定値が記憶されている。これらの設定値は、不揮発性メモリ２０を書き換えることによって変更される。
メモリ２１は、システム制御部１０の動作用の定数、変数、プログラム等を記憶する。それらをシステム制御部１０に読み込むことによってシステム制御部１０が動作する。
【００１８】
以下で説明する本発明に関わるフローチャートは、プログラムとしてメモリ２１に記憶されており、このプログラムをシステム制御部１０に読み込み、実行することによって実施できる。
【００１９】
レンズユニット２００は、図では外部から装着可能な交換レンズタイプである。ただし、画像処理部１００内に備えるものでもよい。
レンズシステム制御部２２０は、レンズユニット２００全体を制御する。
インタフェース１１０、２１０は、レンズユニット２００を画像処理部１００と接続するためのインタフェースである。またコネクタ１１１、２１１は、画像処理部１００とレンズユニット２００とを、電気的に接続するコネクタである。
【００２０】
次に、図２乃至図４を参照して、本発明の実施例の動作を説明する。
図２は、本発明の主ルーチンを示すフローチャートである。
電源投入等により、撮影装置が動作を開始した状態で、まず撮影装置が撮影モードに設定されているかどうかチェックする（Ｓ２０１）。撮影モードに設定してある場合、接眼検知部１９により撮影者のファインダへの接眼が検知されるかをチェックする（Ｓ２０２）。撮影者のファインダへの接眼が検知される場合、タッチパネルの入力モードを、撮影者がファインダを覗きながらでも簡単に操作できるような簡易入力モードに設定して（Ｓ２０３）、Ｓ２０１に戻る。
【００２１】
一方Ｓ２０２で、撮影者のファインダへの接眼が検知されない場合は、タッチパネルの入力モードを、撮影者が画面表示部を見ながら操作するような通常の入力を受け付ける通常入力モードに設定して（Ｓ２０４）、Ｓ２０１に戻る。
Ｓ２０１で撮影モードに設定されていない場合は動作を終了する。
【００２２】
したがって図２のフローチャートによれば、Ｓ２０２で撮影者のファインダへの接眼が検知されるか否かに応じて、タッチパネルの入力モードが切換えられる。
【００２３】
Ｓ２０３でタッチパネルの入力モードが簡易入力モードに設定された場合、撮影者がファインダに接眼しても正確に操作ができるように、通常入力モードに比べて、入力有効範囲を大きくすることや制御できる制御項目の数を少なく限定することが可能である。
【００２４】
よって簡易入力モードのときはタッチパネルの入力有効範囲をタッチパネルの全領域に設定することもできるし、制御項目数を１つにすることもできる。
例えばシャッターボタンの代わりにタッチパネルへの押圧で撮影の指示を行なう場合、撮影者のファインダへの接眼が検知されると、タッチパネルの入力有効範囲を全領域にして、制御項目を撮影の指示のみにするように設定する。このように設定すれば、タッチパネルの任意の位置をタッチするだけで撮影の指示を行なえる。よってこの場合、ファインダを覗きながらタッチパネルを操作しても、撮影の為に押圧すべき位置を押圧できずに撮影機会を逃すことを少なくすることができる。
【００２５】
他にも例えば、入力有効範囲を全領域に拡大し、ズームアップ、ズームダウンをそれぞれタッチパネルの上部、下部にタッチすることで制御できるように設定すれば、ファインダを覗きながらでも簡単に操作できる。
【００２６】
またＳ２０３でタッチパネルの入力モードが簡易入力モードに設定された場合、タッチパネルの入力有効範囲における任意の位置で押圧操作できるようにしてもよい。
【００２７】
その為に、撮影者がタッチパネルで行なう押圧動作を制御と関連付けて設定して、撮影者がその所定の動作を行なったときには特定入力となるようにする。
なお、入力有効範囲内であれば押圧動作する位置は考慮されないものとする。
【００２８】
すると撮影者が所定の動作を行なうと特定入力となり、撮影装置は予め関連付けられた制御を行なうので、撮影者が押圧する位置（所定の動作を行なう位置）に関わらず、タッチパネルの入力有効範囲における任意の位置で押圧操作ができる。よってこの場合も、撮影者の操作が簡単になる。
【００２９】
また複数の押圧動作と、複数の制御とをそれぞれ関連付けて設定すれば、撮影者は入力有効範囲内の任意の位置で押圧操作をしているにも関わらず、複数の制御を指示することができる。
【００３０】
簡易入力モードの設定を以上の説明のように、またはこれらを組み合わせて設定することで、撮影者がファインダを覗いている場合でも、タッチパネルで簡単に操作ができるようにすることが可能である。またその簡易入力モードを、使用者が自由に設定できるようにすることも可能である。
【００３１】
例えば、タッチパネルの入力モードが簡易入力モードになった場合、タッチパネルの入力有効範囲をタッチパネルの全領域にし、更に撮影者がタッチパネルを押圧する位置を考慮せず、所定の動作を行なって操作をするように設定する。この場合、撮影者がタッチパネルの任意の位置で所定の動作を行なって操作できるので、撮影者はファインダを覗きながらでも簡単に操作ができる。
【００３２】
以上のように、撮影者のファインダへの接眼が検知され、タッチパネルの入力モードが簡易入力モードに設定されると、撮影者のタッチパネルへの操作が簡単になる。
【００３３】
したがって撮影者は、ファインダを覗いて画面表示部を目視できなくても、つまり画面表示部の表示に従わなくとも、タッチパネルで正確な操作をすることが可能になる。
【００３４】
図２のフローチャートに従うと、撮影モードに設定されている限り撮影者がファインダに接眼しているか否かが検知されており、その検知結果が変更されたときにタッチパネルの入力モードが切換えられる。ただし本発明はこれに限るものでなく、例えばＳ２０１で、撮影装置の電源が入っているか否かでフローが分岐するように構成してもよい。この場合、撮影装置の電源が入っている限り撮影者のファインダへの接眼が検知されることになり、その検知結果が変更されたときにタッチパネルの入力モードが切換えられる。
【００３５】
またＳ２０２で撮影者のファインダへの接眼が検知された場合は、画面表示部１５を消灯するように制御してもよい。同様に、Ｓ２０２で撮影者のファインダへの接眼が検知されない場合は、画面表示部１５を点灯するように制御してもよい。
【００３６】
またファインダを覗いている撮影者が把握できるように、制御される制御項目名やその制御項目の設定値等をファインダに表示させても良い。
【００３７】
次に図３に、図２のＳ２０３で本発明の撮影装置が簡易入力モードにセットされたときの動作の一例をフローチャートで示す。
【００３８】
図３において簡易入力モードでは、撮影者がタッチパネルの入力有効範囲における任意の位置で所定の動作を行なうことにより、撮影装置が制御されるものとする。
【００３９】
撮影者がファインダに接眼していると検知された状態で、撮影者がタッチパネルに押圧（タッチ）したかをチェックする（Ｓ３０１）。撮影者がタッチパネルに押圧した場合、押圧状態を検知する（Ｓ３０２）。ここで押圧状態とは、押圧したまま移動させたときのその移動方向、移動距離を含むものとする。
次にＳ３０２で検知した押圧状態に基づき、撮影者がタッチパネルの入力有効範囲において特定入力となる所定の動作を行ったか否かを判別する（Ｓ３０３）。なお、ここではタッチパネルの入力有効範囲においては、撮影者が押圧操作した位置は考慮されない。
【００４０】
Ｓ３０３で所定の動作ではないと判別された場合は動作を終了し、所定の動作であると判別された場合は、その所定の動作に応じた制御がされる（Ｓ３０４）。
【００４１】
例えば所定の動作が、撮影者がタッチパネルを押圧したまま移動させたときの移動方向に基づいて設定された場合、撮影者はタッチパネルの入力有効範囲における任意の位置でタッチしたままスライド動作を行なえばよい。
【００４２】
図４は図３のフローチャートの一例であり、特定入力となる所定の動作は、タッチパネルにタッチしたまま縦方向、又は横方向へスライド動作させることに設定されている。また、それらの動作に応じた制御は、それぞれ絞り値、シャッタースピード値の変更であるとする。
【００４３】
なお、タッチパネルの入力有効範囲はタッチパネルの全領域に設定されているものとする。
【００４４】
撮影者がファインダに接眼していると検知された状態で、撮影者がタッチパネルに押圧（タッチ）したかをチェックする（Ｓ４０１）。撮影者がタッチパネルに押圧した場合、タッチパネルで、押圧したままどちらの方向にスライドしたか、移動方向を検知する（Ｓ４０２）。
【００４５】
Ｓ４０２で検知した移動方向が「縦」であるかを判断し（Ｓ４０３）、「縦」の場合には不揮発性メモリ２０に記憶された絞り値を変更する（Ｓ４０４）。
Ｓ４０２で取得した移動方向が「縦」でない場合、移動方向が「横」であるかを判断し（Ｓ４０５）、「横」の場合には不揮発性メモリ２０に記憶されたシャッタースピード値を変更する（Ｓ４０６）。
【００４６】
Ｓ４０５において、Ｓ４０２で取得した移動方向が「横」以外の場合、フローチャートの処理を終了する。
【００４７】
このフローに従うと、撮影者はタッチパネルの任意の位置でタッチしたままスライド動作を行なえばよいので、ファインダを覗きながらでも簡単に操作ができる。
【００４８】
なお、図４のフローチャートのＳ４０４、Ｓ４０６において、移動方向に応じて更に制御内容を細かく設定することもできる。例えばタッチパネルの下から上へスライド動作したときには絞り値を大きくする、タッチパネルの上から下へスライド動作したときには絞り値を小さくする等の設定は可能である。
【００４９】
またＳ４０２で撮影者によるスライド動作の移動距離も検知し、移動距離と設定値の変化量を対応させ、例えば移動距離が大きいほど設定値を大きく変化させるように設定することも可能である。
【００５０】
図５は撮影装置の背面の一例を示す図であり、撮影装置は図４に示した動作に従うものとする。
【００５１】
またファインダを覗いたときに制御可能な制御項目が、ファインダ１４に表示される。
【００５２】
図５に示す撮影装置の背面に配置された主な部材は、ファインダ１４、画面表示部１５、タッチパネル１７、接眼検知部１９である。
【００５３】
撮影者がファインダ１４を覗くと接眼検知部１９が接眼を検知して、画面表示部１５を消灯するように制御される。また同様に撮影者がファインダ１４から離れると接眼検知部１９が離眼を検知して、画面表示部１５を点灯するように制御される。
【００５４】
撮影者がファインダに接眼していると検知された状態で、撮影者がタッチパネル１７上で指を縦方向にスライドすると、絞り値が変更され、ファインダで表示している値が更新される。また横方向にスライドすると、シャッタースピード値が変更され、ファインダで表示している値が更新される。
【００５５】
図６に、ファインダ１４の表示例を示す。
６０１はシャッタースピード値、６０２は絞り値である。撮影者の操作や測光結果等により、シャッタースピード値６０１、絞り値６０２の表示が変化する。
【００５６】
なお、本実施例では撮影者がファインダに接眼していると検知された場合の特定入力となるタッチパネルへの所定の動作として、縦方向または横方向に移動させる操作を例に挙げている。しかし、例えば右回り回転操作や左回り回転操作などのダイヤル操作を模した操作等、種々の操作を所定の動作として設定する事が可能である。
【００５７】
また、所定の動作に応じて制御される制御項目として、本実施例では絞り値とシャッタースピード値を例に挙げた。しかし本発明はこれに限るものでなく、測距点やホワイトバランス制御、ズーム制御等の種々の制御項目を制御させるよう設定することが可能である。
【００５８】
以上の説明で例に挙げたような所定の動作と、それに応じて制御される制御項目を、使用者が任意に組み合わせて設定することも可能である。これにより使用者の好みに応じた操作を提供できる。
【図面の簡単な説明】
【００５９】
【図１】本発明の撮影装置の構成例を示す図である。
【図２】本発明の主ルーチンを示すフローチャートである。
【図３】本発明の、接眼検知時の動作の一例を示すフローチャートである。
【図４】図３の動作の一例を示すフローチャートである。
【図５】本発明の、撮影装置の背面の一例を示すである。
【図６】本発明の撮影装置の、ファインダ表示の一例を示す図である。
【符号の説明】
【００６０】
１０  システム制御部
１４  ファインダ
１５  画面表示部
１７  タッチパネル
１８  操作制御部
１９  接眼検知部
２０  不揮発性メモリ
２１  メモリ
【図１】
2008268726.tif 000003
【図２】
2008268726.tif 000004
【図３】
2008268726.tif 000005
【図４】
2008268726.tif 000006
【図５】
2008268726.tif 000007
【図６】
2008268726.tif 000008